(57)【要約】【課題】防災情報の提供に広く普及している公衆通信網を利用することで、感度良く防災情報を受信でき、文字だけでなく、図および画像等も併せた詳細な防災情報の提供を可能に構成した市町村防災行政無線同報系システムを提供する。【解決手段】市町村防災行政無線同報系システム２０は、市町村の役所に設置される親局設備２１と、防災弱者（聴覚障害者）宅に設置される子局設備２２とを公衆通信網２３を介して無線で接続し、子局設備２２に親局設備２１から送信された防災情報を受信するＰＨＳ電話機２６を備えた情報端末装置２７を具備させて、文字だけでなく地図、絵、写真等の画像も併せた防災情報信号の受信および子局設備２２から親局設備２１への情報送信を可能に構成する。【選択図】　図１
2004126930.tif 000002
【特許請求の範囲】
【請求項１】
防災情報を防災情報信号として少なくとも１つ以上の子局設備へ無線で伝達する防災情報伝達手段を備える親局設備と、前記親局設備から伝達された防災情報信号を受信する防災情報信号受信手段を備える子局設備とを具備する防災無線同報系システムにおいて、
前記親局設備と前記子局設備とを公衆通信網を介して無線で接続して前記親局設備から前記子局設備への防災情報の伝達および前記子局設備から前記親局設備への連絡を可能に構成したことを特徴とする市町村防災行政無線同報系システム。
【請求項２】
前記防災情報伝達手段は、音声信号、文字信号および画像信号の伝達を可能に構成したことを特徴とする請求項１記載の市町村防災行政無線同報系システム。
【請求項３】
前記防災情報信号受信手段は、前記親局設備から伝達された防災情報信号を受信する移動式無線通信手段と、この移動式無線通信手段で受信した防災情報信号を識別して出力を制御する防災情報信号制御手段と、前記移動式無線通信手段で受信した防災情報信号のうち音声信号を出力する音声出力手段とを備え、この前記防災情報信号受信手段と、
前記移動式無線通信手段で受信した防災情報信号のうち文字信号を文字表示する文字表示手段と、
前記移動式無線通信手段で受信した防災情報信号のうち画像信号を画像表示する画像表示手段と、
前記親局設備への連絡を行う連絡手段とを前記子局設備に備えることを特徴とする請求項１記載の市町村防災行政無線同報系システム。
【請求項４】
前記移動式無線通信手段は、前記防災情報信号受信手段から脱着可能であり、前記防災情報信号受信手段から取り外して前記移動式無線通信手段単体で使用可能に構成したことを特徴とする請求項３記載の市町村防災行政無線同報系システム。
【請求項５】
前記連絡手段は、前記子局設備側の状態を前記親局設備へ通知する状態通知手段を備え、前記状態通知手段を操作することで、前記状態通知信号を前記親局設備に発信して前記親局設備で受信した前記子局設備側の状態を文字および音声出力して連絡することを特徴とする請求項３記載の市町村防災行政無線同報系システム。
【発明の詳細な説明】
【０００１】
【発明の属する技術分野】
本発明は、無線同報系システムに係り、特に、防災弱者と言われる聴覚障害者へ防災情報を伝達する市町村防災行政無線同報系システムに関する。
【０００２】
【従来の技術】
図１２に、従来の市町村防災行政無線同報系システムのシステム構成概要図を示す。
【０００３】
図１２に示される従来の市町村防災行政無線同報系システム１は、市役所、町役場または村役場（以下、役所とする）が備える親局設備２と、防災弱者（聴覚障害者）宅に備えられる子局設備３とを具備し、親局設備２と子局設備３とは無線で接続される。
【０００４】
市町村防災行政無線同報系システム１を用いた防災情報伝達方法は、防災情報がある場合、役所、すなわち、親局設備２から防災弱者（聴覚障害者）宅、すなわち、子局設備３に防災情報が無線で伝送されることで、防災情報の伝達がなされている。
【０００５】
防災情報として送信される文章（以下、送信文とする）は、親局設備２が備えるパーソナルコンピュータ（以下、ＰＣとする）５で事前入力された定型文を選択して作成される。作成された送信文は、操作卓６を介して無線送信機７から子局設備３に送信される。親局設備２から送信された送信文は、子局設備３が備える戸別受信機８で受信される。戸別受信機８で送信文を受信すると、戸別受信機８と電気的に接続される文字表示器９および回転灯１０が動作して、回転灯１０が回転し、文字表示器９に送信文が文字表示される。
【０００６】
図１３に市町村防災行政無線同報系システム１を用いた防災情報伝達の動作概要および動作ステップを示したタイムチャートを示す。
【０００７】
図１３によれば、まず、親局設備２内において、防災情報として送信する送信文を役所の操作担当者がＰＣ５を操作して定型文を組み合わせる若しくは入力して作成し、作成が完了した送信文を選択する（図１３中ｉ）。次に、送信文の選択が完了したら、役所の操作担当者は、選択した送信文をＰＣ５で送信操作する（図１３中ｉｉ）。すると、送信操作（図１３中ｉｉ）によって、送信文の信号が、操作卓６を介して無線送信機７から子局設備３へ送信される（図１３中ｉｉｉ）。
【０００８】
子局設備３では、まず、子局設備３に備えられる戸別受信機８で親局設備２から送信された送信文の信号を受信する（図１３中ｉｖ）。そして、受信した送信文の信号が自局、すなわち、子局設備３への文字表示信号であった場合、回転灯１０を起動させて回転させる（図１３中ｖ）と共に受信した送信文の信号を文字表示器９に文字表示する（図１３中ｖｉ）。
【０００９】
このような市町村防災行政無線同報系システムは、例えば、特開平１０−１３９３８号公報で公開されている（特許文献１参照）。
【００１０】
【特許文献１】
特開平１０−１３９３８号公報
【００１１】
【発明が解決しようとする課題】
従来の市町村防災行政無線同報系システム１は、親局設備２に備えられた無線送信機７を使用する。市町村防災行政無線同報系システム１において、無線送信機７から発信される防災情報は、子局設備３に備えられる文字表示器９で表示可能な文字情報と回転灯１０を駆動させる駆動信号であるため、防災弱者（聴覚障害者）が得られる防災情報は、文字表示器９に表示される文字表示内容であり、表示された文字表示内容だけでは、情報が不足し、防災弱者（聴覚障害者）が適切な行動が取れないことも起こり得る。また、市町村防災行政無線同報系システム１において、情報を補完するため、文字だけでなく図および画像を併せて防災情報を伝送しようとしても、市町村防災行政無線同報系システム１で使用される地域防災無線用では実現が困難である。
【００１２】
さらに、市町村防災行政無線同報系システム１は、親局設備２から子局設備３へ、すなわち、役所から防災弱者（聴覚障害者）への一方向にしか情報を送信できない。従って、防災弱者（聴覚障害者）に緊急事態が発生していたとしても、役所では、防災弱者（聴覚障害者）の状態を把握できないため、防災情報が伝達されていると思い込んで、防災弱者（聴覚障害者）の緊急事態への対応が遅れてしまうことも起こり得る。
【００１３】
一方、市町村防災行政無線同報系システム１は、防災情報を子局設備３に伝達する際、親局設備２に備えられる無線送信機７を使用する。しかし、防災情報の伝達のために設置される無線送信機７用の基地局数は少なく、子局設備３側の戸別受信機８で感度良く受信するために場所やアンテナの方向等を配慮して設置する必要があった。
【００１４】
そこで、本発明は、上述した事情を考慮して、親局設備から伝達する防災情報として、文字だけでなく、地図、絵および写真等の画像も併せたより詳細な防災情報の提供を可能に構成した市町村防災行政無線同報系システムを提供することを目的とする。
【００１５】
また、本発明の他の目的は、子局設備側からも親局設備側に子局設備側の状況等の情報を送信可能に構成した市町村防災行政無線同報系システムを提供するにある。
【００１６】
さらに、本発明の他の目的は、防災情報の提供に広く普及している公衆通信網を利用することで、感度良く防災情報を受信できるように構成した市町村防災行政無線同報系システムを提供するにある。
【００１７】
【課題を解決するための手段】
本発明に係る市町村防災行政無線同報系システムは、上述した課題を解決するために、請求項１記載のように、防災情報を防災情報信号として少なくとも１つ以上の子局設備へ無線で伝達する防災情報伝達手段を備える親局設備と、前記親局設備から伝達された防災情報信号を受信する防災情報信号受信手段を備える子局設備とを具備する防災無線同報系システムにおいて、前記親局設備と前記子局設備とを公衆通信網を介して無線で接続して前記親局設備から前記子局設備への防災情報の伝達および前記子局設備から前記親局設備への連絡を可能に構成したことを特徴とする。
【００１８】
上述した課題を解決するために、本発明に係る市町村防災行政無線同報系システムは、請求項２記載のように、前記親局設備に備えられる防災情報伝達手段が、音声信号、文字信号および画像信号の伝達を可能に構成したことを特徴とする。
【００１９】
また、上述した課題を解決するために、本発明に係る市町村防災行政無線同報系システムは、請求項３記載のように、前記防災情報信号受信手段が、前記親局設備から伝達された防災情報信号を受信する移動式無線通信手段と、この移動式無線通信手段で受信した防災情報信号を識別して出力を制御する防災情報信号制御手段と、前記移動式無線通信手段で受信した防災情報信号のうち音声信号を出力する音声出力手段とを備え、この前記防災情報信号受信手段と、前記子局設備が、前記防災情報信号受信手段と、前記移動式無線通信手段で受信した防災情報信号のうち文字信号を文字表示する文字表示手段と、前記移動式無線通信手段で受信した防災情報信号のうち画像信号を画像表示する画像表示手段と、前記親局設備への連絡を行う連絡手段とを備えることを特徴とする。
【００２０】
さらに、上述した課題を解決するために、本発明に係る市町村防災行政無線同報系システムは、請求項４記載のように、前記移動式無線通信手段は、前記防災情報信号受信手段から脱着可能であり、前記防災情報信号受信手段から取り外して前記移動式無線通信手段単体で使用可能に構成したことを特徴とする。
【００２１】
さらにまた、上述した課題を解決するために、本発明に係る市町村防災行政無線同報系システムは、請求項５記載のように、前記連絡手段が、前記子局設備側の状態を前記親局設備へ通知する状態通知手段を備え、前記状態通知手段を操作することで、前記状態通知信号を前記親局設備に発信して前記親局設備で受信した前記子局設備側の状態を文字および音声出力して連絡することを特徴とする。
【００２２】
【発明の実施の形態】
以下、本発明に係る市町村防災行政無線同報系システムの実施形態について図面を参照して説明する。
【００２３】
図１に本発明に係る市町村防災行政無線同報系システムの一実施例として適用される市町村防災行政無線同報系システム２０のシステム構成概要図を示す。
【００２４】
図１に示される市町村防災行政無線同報系システム２０は、市町村等の役所に設置される親局設備２１と、防災弱者（聴覚障害者）宅に設置される子局設備２２とを公衆通信網２３を介して無線で接続する。市町村防災行政無線同報系システム２０における防災情報の伝達は、防災情報信号を役所（親局設備２１）から公衆通信網２３を介して無線で防災弱者（聴覚障害者）宅（子局設備２２）へ伝送することでなされる。
【００２５】
また、市町村防災行政無線同報系システム２０は、子局設備２２に親局設備２１から送信された防災情報を受信する移動式無線通信手段としてのＰＨＳ電話機２６を備えた防災情報信号受信手段としての情報端末装置２７を具備することで、文字だけでなく地図、絵、写真等の画像も併せた防災情報信号の受信が可能な構成となる。
【００２６】
親局設備２１は、防災情報提供内容および防災情報提供エリアを操作して決定するパーソナルコンピュータ（以下、ＰＣとする）２９とＰＣ２９で操作して決定した防災情報提供内容および防災情報提供エリアに従い、防災情報信号の伝達を制御する防災情報伝達手段としての操作卓３０と、操作卓３０を遠隔操作する操作卓操作器３１とを備える。
【００２７】
親局設備２１が備えるＰＣ２９は、一般のＰＣ、すなわち、第１の表示手段３４と、第１の操作手段３５と、データを記録して保管する記録手段３６と、演算処理を行うＣＰＵ３８と、外部機器との接続を行うインターフェース部（以下、Ｉ／Ｆ部とする）３９とを備えており、記録手段３６には操作卓３０を制御して防災情報を提供する防災情報伝達制御プログラム（以下、制御ＰＧとする）４１がインストールされている。
【００２８】
また、親局設備２１が備える操作卓３０は、第２の表示手段４３と、第２の操作手段４５と、演算処理を行う演算処理部４６と、音声や画像等のデータを記録したり、防災情報送信用プログラム（以下、送信用ＰＧとする）４７等のプログラムを保管するデータ記録部４８と、直接に音声を入力する音声入力手段４９と、音声を出力する操作卓用音声出力手段５０と、外部機器との接続を行う操作卓インターフェース（以下、操作卓Ｉ／Ｆとする）５１とを備える。
【００２９】
親局設備２１が備えるＰＣ２９、操作卓３０および操作卓操作器３１は、操作卓３０が備える操作卓Ｉ／Ｆ５１でＰＣ２９が備えるＩ／Ｆ部３９および操作卓操作器３１と、公衆通信網２３とが電気的に接続される。
【００３０】
子局設備２２は、情報端末装置２７に加え、地図、絵、写真等の画像を表示する画像表示手段としての画像表示器５２と、文字表示手段としての文字表示器５３と、防災情報の受信を知らせる回転灯５４と、子局設備２２から親局設備２１へ防災弱者（聴覚障害者）の現在情報等を連絡可能な連絡手段としての連絡装置５５とを備える。
【００３１】
情報端末装置２７は、親局設備２１から送信された防災情報を受信する移動式無線通信手段としてのＰＨＳ電話機２６と、受信した防災情報のうち、音声を出力する音声出力手段としての音声出力部５７と、防災情報信号制御手段としての制御器５８とを備える。音声出力部５７は、制御器５８で音声信号を認識した場合においてＰＨＳ電話機２６と音声信号を増幅する音声増幅器６０とを電気的に接続する切替器６１と、音声増幅器６０と、音声を出力するスピーカ６２とを備え、ＰＨＳ電話機２６および制御器５８に電気的に接続される。また、制御器５８は、音声出力部５７に加えて、画像表示器５２、文字表示器５３、回転灯５４、連絡装置５５と電気的に接続される。
【００３２】
図２に、制御ＰＧ４１が実行する防災情報伝達処理操作を手順を追って説明した説明図を示す。
【００３３】
図２によれば、市町村防災行政無線同報系システム２０により、親局設備２１から子局設備２２へ防災情報を伝達する際は、まず、ステップＳ１で役所の防災情報伝達担当者（以下、単に担当者とする）がＰＣ２９に備えられる第１の操作手段３５からプログラム起動操作を行い、ＣＰＵ３８にＰＣ２９にインストールされた制御ＰＧ４１を実行させる。すると、ステップＳ１でＣＰＵ３８は、制御ＰＧ４１を読み込んで、第１の表示手段３４に初期画面６４を表示する。
【００３４】
図３に、防災情報伝達処理操作中において第１の表示手段３４に表示される初期画面６４の一実施例を示す。
【００３５】
図３に示される初期画面６４は、次回、防災情報を伝達する次回表示欄６６と、防災情報の編集・削除等の処理操作を実行する処理操作実行ボタン６７と、防災情報を伝達する日時およびメッセージ内容の一覧を表示する表示リスト６８と制御ＰＧ４１の実行を終了要求する終了ボタン６９とを備える。
【００３６】
役所の担当者は、ＣＰＵ３８に防災情報入力・編集処理操作を実行させるため、ステップＳ２で図３に示される表示リスト６８の入力操作を行う。表示リスト６８は、伝達を行う防災情報の順番を表示する順番列７１と、防災情報を伝達する日を表示する表示日列７２と、防災情報の伝達をする時刻を表示する表示時刻列７３と、防災情報の伝達先を表示する表示先列７４と、伝達を行う防災情報のタイトルを表示するタイトル列７５と、防災情報として伝達する内容を表示するメッセージ列７６とを有する。
【００３７】
ステップＳ２で役所の担当者は、表示リスト６８が有する列のうち、表示日列７２と、表示時刻列７３と、表示先列７４と、タイトル列７５と、メッセージ列７６とをＰＣ２９に備えられる第１の操作手段３５から入力操作して防災情報入力・編集処理操作を命令する。すると、ＣＰＵ３８が防災情報入力・編集処理操作を実行する。そして、防災情報入力・編集処理操作が終了すると、ステップＳ３で、ＣＰＵ３８は、ステップＳ２で入力・編集した防災情報の伝達を待機する伝達待機状態となる。
【００３８】
次に、ステップＳ４で役所の担当者は、防災情報の入力・編集する必要性の有無を判断して防災情報の入力・編集する必要がないと判断した場合（ステップＳ４でＹＥＳの場合）は、ステップＳ５に進む。そして、ＣＰＵ３８は、ステップＳ５で防災情報の伝達要求の有無を判断する。防災情報の伝達要求は、ステップＳ２の防災情報入力・編集処理操作で役所の担当者が設定した日時、若しくは、初期画面６４内の処理操作実行ボタン６７にある即時表示実行ボタン７７を選択操作と同時になされる。
【００３９】
ステップＳ５で防災情報の伝達要求がある場合（ステップＳ５でＹＥＳの場合）は、ステップＳ６に進み、ＣＰＵ３８は、入力・編集した防災情報を子局設備２２へ伝達する。
【００４０】
次に、ステップＳ７で役所の担当者は、制御ＰＧ４１を終了させるか否かを判断して、制御ＰＧ４１を終了させる場合（ステップＳ７でＹＥＳの場合）には、第１の操作手段３５から入力操作して、制御ＰＧ４１の終了要求を行う。すると、ＣＰＵ３８は、防災情報の入力・編集の終了要求を認識し、制御ＰＧ４１を終了して防災情報伝達処理操作を終了する。
【００４１】
また、ステップＳ４で役所の担当者が防災情報の入力・編集する必要性の有無を判断して防災情報の入力・編集する必要があると判断した場合（ステップＳ４でＮＯの場合）は、ステップＳ２に進み、ＣＰＵ３８がステップＳ２以下の処理を実行する。さらに、ステップＳ５で防災情報の伝達要求がない場合（ステップＳ５でＮＯの場合）は、ステップＳ３に進み、ＣＰＵ３８がステップＳ３以下の処理を実行する。さらにまた、ステップＳ７で役所の担当者は、他に防災情報の入力・編集する必要性の有無を判断して、制御ＰＧ４１を継続させる場合（ステップＳ７でＮＯの場合）には、ステップＳ３に進み、ＣＰＵ３８がステップＳ３以下の処理を実行する。
【００４２】
ここで、図２に示される防災情報入力・編集処理操作（ステップＳ２）について、図４〜図９を用いて説明する。
【００４３】
図４に、防災情報入力・編集処理操作（ステップＳ２）の処理ステップを説明する説明図を示す。
【００４４】
図４によれば、防災情報入力・編集処理操作は、まず、ステップＳ１１で役所の担当者が初期画面６４内の処理操作実行ボタン６７にある編集実行ボタン７９を選択操作する。編集実行ボタン７９を選択操作することによりＣＰＵ３８は、メイン入力・編集画面８０を呼び出して第１の表示手段３４に表示させる。
【００４５】
図５に、役所の担当者が防災情報伝達操作中において第１の表示手段３４に表示されるメイン入力・編集画面８０の一実施例を示す。
【００４６】
図５に示されるメイン入力・編集画面８０は、タイトル、表示日時、表示メッセージおよび添付画像を入力・編集する基本情報入力・編集部８１と、防災情報を伝達する伝達先を選択する表示先選択部８２と、メイン入力・編集画面８０で入力した内容をキャンセルして初期画面６４を表示させる戻るボタン８３と、基本情報入力・編集部８１および表示先選択部８２で入力した内容を保存して初期画面６４を表示させる完了ボタン８４とを備える。
【００４７】
基本情報入力・編集部８１は、伝達する防災情報を入力・編集する複数の入力・編集ボタンを備え、これらの入力・編集ボタンは、タイトル編集ボタン８７、表示日時編集ボタン８８、表示メッセージ編集ボタン８９および添付画像選択ボタン９０を備える。また、基本情報入力・編集部８１は、入力・編集ボタンにより、入力・編集した内容を表示する複数の表示欄を備え、これらの表示欄は、タイトル欄９２、表示日時欄９３、表示メッセージ欄９４および添付画像ファイル名表示欄９５である。
【００４８】
ステップＳ１１で第１の表示手段３４にメイン入力・編集画面８０が表示されたら、ステップＳ１２で役所の担当者は、タイトルの入力・編集処理操作の必要性の有無を判断する。そして、タイトルの入力・編集処理操作が必要と判断した場合（ステップＳ１２でＹＥＳの場合）は、ＰＣ２９に備えられる第１の操作手段３５から役所の担当者がタイトルの入力・編集要求を入力操作して要求する。
【００４９】
ステップＳ１２のタイトルの入力・編集要求は、役所の担当者がメイン入力・編集画面８０内にあるタイトル編集ボタン８７を選択することでなされる。タイトル編集ボタン８７が選択されると、ＣＰＵ３８はタイトルの入力・編集が可能なように、メイン入力・編集画面８０からタイトル入力・編集画面９７に切り替え、第１の表示手段３４に表示する。
【００５０】
図６に、役所の担当者が防災情報伝達操作中において第１の表示手段３４に表示されるタイトル入力・編集画面９７の一実施例を示す。
【００５１】
タイトル入力・編集画面９７は、タイトル欄入力用のタイトル入力欄９８と、タイトル入力・編集画面９７で入力した情報を保存せずにメイン入力・編集画面８０を表示させる戻るボタン９９と、タイトル入力・編集画面９７で入力した情報を保存してメイン入力・編集画面８０を表示させる完了ボタン１００とを有する。
【００５２】
図６に示されるタイトル入力・編集画面９７が表示されたら、次にステップＳ１３でタイトルの入力・編集処理操作を行う。タイトルの入力・編集操作は、タイトル入力・編集画面９７内のタイトル入力欄９８を選択すると、ＣＰＵ３８はタイトル入力欄９８へのタイトル入力・編集を許可し、役所の担当者は、第１の操作手段３５からタイトル入力欄９８に伝達する防災情報のタイトルを入力・編集する。伝達する防災情報のタイトルを入力・編集し、確認が済んだら、役所の担当者は、タイトル入力・編集画面９７内の完了ボタン１００を選択する。すると、ＣＰＵ３８が入力・編集された防災情報のタイトルを保存して、タイトル入力・編集画面９７からメイン入力・編集画面８０に切り替え、第１の表示手段３４にメイン入力・編集画面８０を表示してステップＳ１３の処理操作を完了する。
【００５３】
次に、ステップＳ１４で役所の担当者は、表示日時の入力・編集処理操作の必要性の有無を判断する。そして、表示日時の入力・編集処理操作が必要と判断した場合（ステップＳ１４でＹＥＳの場合）は、ＰＣ２９に備えられる第１の操作手段３５から役所の担当者が表示日時の入力・編集要求を入力操作して要求する。
【００５４】
表示日時の入力・編集要求は、役所の担当者がメイン入力・編集画面８０内の表示日時編集ボタン８８を選択することでなされる。ステップＳ１４で表示日時編集ボタン８８が選択されると、ＣＰＵ３８は表示日時の入力・編集可能なように、メイン入力・編集画面８０から表示日時入力・編集画面１０３に切り替え、第１の表示手段３４に表示日時入力・編集画面１０３を表示する。
【００５５】
図７に、役所の担当者が防災情報伝達操作中において第１の表示手段３４に表示される表示日時入力・編集画面１０３の一実施例を示す。
【００５６】
表示日時入力・編集画面１０３は、メッセージの表示日時に関する内容を表示する表示内容表示欄１０４と、表示日を選択するカレンダ部１０５と、時刻を選択する時刻設定部１０６と、防災情報を伝達する条件設定を行う伝達設定部１０７と、表示日時入力・編集画面１０３で入力した情報を保存せずにメイン入力・編集画面８０を呼び出す戻るボタン１０８と、表示日時入力・編集画面１０３で入力した情報を保存してメイン入力・編集画面８０を呼び出す完了ボタン１０９とを備える。
【００５７】
カレンダ部１０５は、第１の表示手段３４に表示されるカレンダを１ヶ月前のカレンダに切り換える前月ボタン１１２と、カレンダ１０５を１ヶ月後のカレンダに切り換える次月ボタン１１３とを有する。さらに、時刻設定部１０６は、時分のうち時を調整する時設定ボタン１１４と、分を調整する分設定ボタン１１５とを有する。
【００５８】
伝達設定部１０７は、任意に指定した日に入力した防災情報の伝達を行うように設定する一日指定ボタン１１７と、任意に指定した期間に入力した防災情報の伝達を行うように設定する期間指定ボタン１１８と、毎日入力した防災情報の伝達を行うように設定する毎日ボタン１１９と、任意に指定した曜日に入力した防災情報の伝達を行うように設定する曜日指定ボタン１２０と、即時に入力した防災情報の伝達を行うように設定する即時表示ボタン１２１とを有する。伝達設定部１０７では、防災情報を伝達する条件設定として、任意の一日を指定して防災情報を伝達をする、あるいは、毎日伝達をする等の条件設定を行う。
【００５９】
図７に示される第１の表示手段３４に表示日時入力・編集画面１０３が表示されると、次に、ステップＳ１５で役所の担当者は、表示日時入力・編集処理操作を実行させる。すなわち、役所の担当者は、防災情報を伝達する条件設定と、伝達を行う日時とを第１の操作手段３５から入力操作して設定する。
【００６０】
防災情報を伝達する条件設定は、表示日時入力・編集画面１０３において、役所の担当者が第１の操作手段３５から伝達設定部１０７が有する任意のボタンを選択する。例えば、予め決まった一日を指定して防災情報の伝達を行う場合は、一日指定ボタン１１７を、即時に防災情報の伝達を行う場合は、即時表示ボタン１２１を選択する。すると、ＣＰＵ３８は、伝達設定部１０７が有するボタンから選択されたボタンの内容で伝達の条件設定をする。
【００６１】
防災情報を伝達する日時の設定は、まず、役所の担当者が防災情報の伝達を行う日をカレンダ部１０５のカレンダで選択する。必要があれば、前月ボタン１１２と次月ボタン１１３とでカレンダを切り換える。日の設定が完了したら、次は、防災情報の伝達を行う時刻の設定を行う。時刻の設定は、時設定ボタン１１４と分設定ボタン１１５とで行う。
【００６２】
次に、防災情報を伝達する条件設定および伝達を行う日時の入力・編集の確認を行い、防災情報を伝達する条件設定および伝達を行う日時の入力・編集の確認が済んだら、表示日時入力・編集画面１０３内の完了ボタン１０９を選択する。すると、ＣＰＵ３８が入力・編集した防災情報を伝達する条件設定および伝達を行う日時の入力・編集結果を保存して、表示日時入力・編集画面１０３からメイン入力・編集画面８０に切り替え、第１の表示手段３４にメイン入力・編集画面８０を表示したらステップＳ１５の表示日時入力・編集操作を完了する。
【００６３】
ステップＳ１５で第１の表示手段３４にメイン入力・編集画面８０が表示されたら、ステップＳ１６で役所の担当者は、防災情報としてのメッセージを入力・編集するメッセージの入力・編集処理操作の必要性の有無を判断する。そして、メッセージ入力・編集処理操作が必要と判断した場合（ステップＳ１６でＹＥＳの場合）は、ＰＣ２９に備えられる第１の操作手段３５から役所の担当者がメッセージ入力・編集要求を入力操作して要求する。
【００６４】
ステップＳ１６のメッセージ入力・編集要求は、役所の担当者がメイン入力・編集画面８０内にある表示メッセージ編集ボタン８９を選択することでなされる。すると、ＣＰＵ３８がメイン入力・編集画面８０から表示メッセージ入力・編集画面１２３に切り替え、第１の表示手段３４に表示メッセージ入力・編集画面１２３を表示する。
【００６５】
図８に、役所の担当者が防災情報伝達操作中において第１の表示手段３４に表示される表示メッセージ入力・編集画面１２３の一実施例を示す。
【００６６】
表示メッセージ入力・編集画面１２３は、２つの表示部を有する。１つは、コメントおよび表示メッセージ内容を事前に入力・編集して作成された登録文リストを表示する表示メッセージリスト表示部１２４と、もう一方が、防災情報として伝達する表示メッセージを登録文リストから選択して作成し表示する表示メッセージ作成表示部１２５である。
【００６７】
また、表示メッセージ入力・編集画面１２３は、表示メッセージリスト表示部１２４および表示メッセージ作成表示部１２５に加え、事前に入力・編集して作成された登録文リストを編集する編集ボタン１２７と、表示メッセージリスト表示部１２４に表示される登録文リストから登録文を選択して、防災情報として伝達する表示メッセージとして登録文を登録する登録ボタン１２８と、表示メッセージ作成表示部１２５に登録された登録文リストから選択した任意の登録文を削除する登録文削除ボタン１２９と、表示メッセージ入力・編集画面１２３で入力した情報を保存せずにメイン入力・編集画面８０を呼び出す戻るボタン１３０と、表示メッセージ入力・編集画面１２３で入力した情報をメイン入力・編集画面８０を保存して呼び出す完了ボタン１３１とを有する。尚、登録文は、完全な文のみを指すのではなく、例えば、「本日は」，「役場にて」等の文節（不完全な文）や、「１５：００」「〜」等の任意の文字の集合も包含するものとする。
【００６８】
図８に示される表示メッセージ入力・編集画面１２３が第１の表示手段３４に表示されたら、ステップＳ１７で役所の担当者は、防災情報として伝達する表示メッセージの入力・編集操作を行う。具体的には、表示メッセージ入力・編集画面１２３において第１の操作手段３５から表示メッセージリスト表示部１２４に表示される登録文リストから登録文を選択して、登録ボタン１２８を選択する。すると、ＣＰＵ３８が表示メッセージ作成表示部１２５の１行目に登録ボタン１２８で選択した登録文を登録する。
【００６９】
役所の担当者は、表示メッセージリスト表示部１２４に表示される登録文リストから登録文を選択する操作を繰り返して、防災情報として伝達する表示メッセージを作成する。例えば、図８に示される例で言えば、表示メッセージリスト表示部１２４に表示される登録文のコメントが「本日は」，「防災日」，「１５：００」，「役場」，「消火訓練」である登録文を順次選択して、登録ボタン１２８で登録すると、表示メッセージ作成表示部１２５には、「本日は、防災の日です。１５：００から役場で消火訓練を行います。」という文章が登録され、防災情報として伝達される表示メッセージとなる。
【００７０】
次に、表示メッセージの入力・編集内容の確認を行う。表示メッセージの入力・編集内容の確認が済んだら、表示メッセージ入力・編集画面１２３内の完了ボタン１３１を選択する。すると、ＣＰＵ３８が入力・編集された表示メッセージを保存して、表示メッセージ入力・編集画面１２３からメイン入力・編集画面８０に切り換える。第１の表示手段３４にメイン入力・編集画面８０が表示されると、ステップＳ１７のメッセージ入力・編集処理操作は完了する。
【００７１】
次に、ステップＳ１８で役所の担当者は、防災情報として必要と判断される地図、絵、写真等の画像情報を併せて送信するか否かを判断する。ステップＳ１８で役所の担当者が画像情報を併せて送信すると判断した場合（ステップＳ１８でＹＥＳの場合）は、ＰＣ２９に備えられる第１の操作手段３５から役所の担当者が画像添付要求を入力操作して要求する。
【００７２】
画像添付要求は、役所の担当者がメイン入力・編集画面８０内にある画像添付ボタン９０を選択することでなされる。すると、ＣＰＵ３８がメイン入力・編集画面８０から画像添付画面１３４に切り替え、第１の表示手段３４に画像添付画面１３４を表示する。
【００７３】
図９に、役所の担当者が防災情報伝達操作中において第１の表示手段３４に表示される画像添付画面１３４の一実施例を示す。
【００７４】
画像添付画面１３４は、３つの表示部と、データ記録部４８に格納される画像データベース（以下、画像ＤＢとする）１３５から画像ファイルを選択し防災情報として添付する添付ボタン１３６と、一度添付を決定した画像ファイルをキャンセルする削除ボタン１３７と、画像ファイルを添付せずにメイン入力・編集画面８０を呼び出す戻るボタン１３８とを有する。選択した画像ファイルを防災情報として添付してメイン入力・編集画面８０を呼び出す完了ボタン１３９とを有する。
【００７５】
また、画像添付画面１３４が有する３つの表示部は、画像ファイルの名称をリスト表示する画像ファイルリスト表示部１４１と、画像ファイルリスト表示部１４１で選択された画像ファイルの画像をプレビュー表示するプレビュー表示部１４２と、防災情報として添付する画像ファイル名を表示する添付画像ファイル表示部１４３とがある。
【００７６】
図９に示される画像添付画面１３４を呼び出したら、ステップＳ１９で役所の担当者は、画像添付処理操作、すなわち、画像ファイルリスト表示部１４１から添付したい画像ファイルを選択する。画像ファイルリスト表示部１４１でデータ記録部４８に格納される画像ＤＢ１３５を選択すると、画像ＤＢ１３５に格納される画像ファイルの一覧が表示される。画像ファイルリスト表示部１４１に表示された画像ファイルを選択すると、プレビュー表示部１４２には、選択した画像ファイルのプレビューが表示されるので、役所の担当者は、プレビュー表示部１４２に表示されるプレビューを見てファイル内容を確認しながら添付したい画像ファイルを選択することができる。
【００７７】
画像ファイルリスト表示部１４１から添付したい画像ファイルを選択したら、次に、役所の担当者は、実行した画像添付処理操作が正しいか、すなわち、選択した画像ファイルが正しいかを確認する。画像ファイルの確認は、役所の担当者が添付画像ファイル表示部１４３に表示される添付した画像ファイルの名称を見て確認することで行う。
【００７８】
そして、実行した画像添付処理操作が正しいことを確認したら画像添付画面１３４内の完了ボタン１３９を選択する。すると、ＣＰＵ３８が選択した画像ファイルを防災情報として添付する画像ファイルとして保存して、画像添付画面１３４からメイン入力・編集画面８０に切り換える。第１の表示手段３４にメイン入力・編集画面８０が表示されると、ステップＳ１９の画像添付処理操作は完了する。
【００７９】
次に、ステップＳ２０で役所の担当者は、第１の表示手段３４に表示されるメイン入力・編集画面８０内の表示先選択部８２から防災情報の伝達先を入力操作する。表示先選択部８２は、予め、防災情報を伝達する伝達先、すなわち、表示先を事前に幾つか登録しておくことができる。例えば、図５に示されるメイン入力・編集画面８０内の表示先選択部８２の例で言えば、小学校、中学校、公会堂等がある。また、全ての表示先を選択する場合は、一斉ボタン１４５を選択する。役所の担当者が入力操作して防災情報の伝達先を選択すると、ＣＰＵ３８は、選択した表示先に防災情報を伝達するように伝達先を設定する。
【００８０】
次に、役所の担当者は、第１の表示手段３４に表示されるメイン入力・編集画面８０に入力・編集された基本情報入力・編集部８１と表示先選択部８２とを確認する。確認の結果、正しい場合は、ステップＳ２０を終了する。そして、ステップＳ２１に進み、ステップＳ２１で役所の担当者は、防災情報の入力・編集が必要か否かを判断する。
【００８１】
ステップＳ２１で役所の担当者が防災情報の入力・編集は不要と判断した場合（ステップＳ２１でＮＯの場合）は、ステップＳ２２で役所の担当者がメイン入力・編集画面８０に表示される完了ボタン８４を選択する。すると、ＣＰＵ３８がメイン入力・編集画面８０に表示される基本情報入力・編集部８１と表示先選択部８２とに設定された情報を保存して初期画面６４を表示させる。ステップＳ２２の処理操作が完了するとＣＰＵ３８は、防災情報入力・編集処理操作（ステップＳ２）を終了する。
【００８２】
また、ステップＳ１２において、タイトルの入力・編集処理操作が不要と判断した場合（ステップＳ１２でＮＯの場合）、役所の担当者は、タイトルの入力・編集要求せずにステップＳ１４に進み、ステップＳ１４からの処理操作を実行する。
【００８３】
同様にして、ステップＳ１４、ステップＳ１６およびステップＳ１８においても、各入力・編集処理操作が不要と判断した場合（ステップＳ１４、ステップＳ１６およびステップＳ１８でＮＯの場合）は、各入力・編集要求をせずにステップＳ１６、ステップＳ１８およびステップＳ２０に進み、ステップＳ１６、ステップＳ１８およびステップＳ２０からの処理操作を実行する。
【００８４】
一方、ステップＳ２１において、役所の担当者が防災情報の入力・編集が必要と判断した場合（ステップＳ２１でＹＥＳの場合）は、ステップＳ１２に進み、ステップＳ１２からの処理操作を実行する。
【００８５】
図１０に、市町村防災行政無線同報系システム２０による防災情報伝達操作において、親局設備２１および子局設備２２で実行される防災情報伝達の処理操作およびその処理操作ステップを示したタイムチャートを示す。
【００８６】
尚、図１０において、左側半分は親局設備２１および子局設備２２で実行されるイベントを示し、右側半分は、左側半分に記載されるイベントに対応した処理操作実行のタイミングを示しており、パルスの立ち上がり時に処理操作が開始され、パルスの立ち下がり時に処理操作が終了する。
【００８７】
図１０によれば、市町村防災行政無線同報系システム２０により、親局設備２１から子局設備２２へ防災情報を伝達する際は、まず、役所の担当者によって、ＰＣ２９に備えられる第１の操作手段３５から防災情報入力操作がなされる（図１０中ｉ）。役所の担当者は、伝達する防災情報が確定したら、ＰＣ２９に防災情報の伝達を手動的または自動的に要求するように第１の操作手段３５から入力操作する（図１０中ｉｉ）。
【００８８】
ＣＰＵ３８は、防災情報の伝達要求を認識すると、操作卓３０を起動させ、操作卓３０に備えられる送信用ＰＧ４７を起動させて、ＰＣ２９から操作卓３０を介して公衆通信網２３と接続する。公衆通信網２３に接続したら、ＰＣ２９、操作卓３０および公衆通信網２３と経由して、公衆通信網２３から送信先周辺のＰＨＳ基地局（図示せず）まで防災情報信号を送信する。ＰＨＳ基地局で受信した防災情報信号は、ＰＨＳ基地局から子局設備２２が具備する情報端末装置２７に送信される（図１０中ｉｉｉ）。
【００８９】
送信された防災情報信号は、子局設備２２が具備する情報端末装置２７に備えられるＰＨＳ電話機２６で受信される（図１０中ｉｖ）。ＰＨＳ電話機２６で受信された防災情報信号は、制御器５８に入力され、制御器５８で信号の種類、すなわち、文字、音声、画像等が識別される（図１０中ｖ）。
【００９０】
制御器５８に入力された防災情報信号が、文字および画像を含む詳細な指示を与える防災情報信号の場合は、回転灯５４が起動する（図１０中ｖｉ）と同時に、文字表示器５３に画像表示器５２を見る旨の指示が表示される（図１０中ｖｉｉ）。そして、画像表示器５２には、防災情報信号として親局設備２１から伝達された画像ファイルが画像表示され（図１０中ｖｉｉｉ）、親局設備２１から子局設備２２への防災情報の伝達が完了する。
【００９１】
また、制御器５８に入力された防災情報信号が、従来と同様な文字を与える防災情報信号の場合は、回転灯５４が起動すると同時に、文字表示器５３に防災情報として親局設備２１から伝達された文字が表示され（図１０中ｉｘ）、親局設備２１から子局設備２２への防災情報の伝達が完了する。
【００９２】
さらに、親局設備２１からは、防災情報として音声を伝達することも可能である。音声を伝達する場合には、操作卓３０が公衆通信網２３に接続した状態で、操作卓３０が備える音声入力手段４９から音声を入力する。入力された音声は、子局設備２２が具備する情報端末装置２７に送信される（図１０中ｉｉｉ）。送信された音声は、情報端末装置２７が備えるＰＨＳ電話機２６で受信する（図１０中ｉｖ）。ＰＨＳ電話機２６で受信した音声は、制御器５８に入力され、制御器５８で信号の種類を識別して（図１０中ｖ）、音声信号と識別されると、音声出力部５７に備えられる切替器６１がＯＮとなり、ＰＨＳ電話機２６と音声増幅器６０とを電気的に接続する（図１０中ｘ）。そして、ＰＨＳ電話機２６で受信した音声信号は、ＰＨＳ電話機２６から切替器６１を介して音声増幅器６０に入力され、音声増幅器６０で適当なレベルに音声信号を増幅した後にスピーカ６２に入力されて、入力された音声信号は、スピーカ６２から音声として出力され（図１０中ｘｉ）、親局設備２１から子局設備２２への防災情報の伝達が完了する。
【００９３】
一方、市町村防災行政無線同報系システム２０では、親局設備２１から子局設備２２への防災情報伝達という一方向の情報伝達だけではなく、子局設備２２から親局設備２１への情報伝達を可能に構成し、子局設備２２から親局設備２１へ子局設備２２側である防災弱者（聴覚障害者）の状況等を連絡することができる。
【００９４】
図１１に市町村防災行政無線同報系システム２０において、子局設備２２から親局設備２１へ連絡する場合のタイムチャートを示す。
【００９５】
図１１によれば、子局設備２２から親局設備２１へ連絡する場合は、まず、情報端末装置２７に備えられる連絡装置５５を操作して行う。連絡装置５５には、予め、緊急事態を親局設備２１へ通知する状態通知手段としての緊急スイッチ１４７および伝達された防災情報を確認した旨を親局設備２１へ通知する受信確認スイッチ１４８等の防災弱者（聴覚障害者）の状態通知用のスイッチが少なくとも１つ以上設けられている。
【００９６】
防災弱者（聴覚障害者）は、連絡装置５５に設けられているスイッチを押す（図１１中ｉ）ことで、連絡装置５５で入力されたスイッチに対応する信号が制御器５８に入力され、制御器５８でスイッチ判別データ信号に変換される（図１１中ｉｉ）。制御器５８が連絡装置５５で入力されたスイッチに対応するスイッチ判別データ信号に変換したら、制御器５８は、ＰＨＳ電話機２６を起動して、スイッチ判別データ信号を送出する（図１１中ｉｉｉ）。ＰＨＳ電話機２６から送出されたスイッチ判別データ信号は、公衆通信網２３を介して親局設備２１が具備する操作卓３０で受信する（図１１中ｉｖ）。操作卓３０で受信すると、演算処理部４６が受信したスイッチ判別データ信号をＰＣ２９へ送信し、ＰＣ２９でスイッチ判別データ信号を受信する。ＰＣ２９でスイッチ判別データ信号を受信すると、ＰＣ２９が備えるＣＰＵ３８は、制御ＰＧ４１を読み込んでスイッチ判別データ信号をメッセージに変換して第１の表示手段３４に表示する（図１１中ｖ）。
【００９７】
尚、市町村防災行政無線同報系システム２０では、操作卓３０で受信（図１１中ｉｖ）した後に、第１の表示手段３４に表示する（図１１中ｖ）設定としているが、操作卓３０に備えられる第２の表示手段４３に表示するようにしても良いし、操作卓用音声出力手段５０で音声出力するように構成しても良いし、これらを任意に組み合わせても良い。
【００９８】
また、操作卓用音声出力手段５０は、操作卓３０に備えられているが、操作卓３０およびＰＣ２９の少なくとも一方に設けても、独立した一音声出力装置として形成してもスイッチ判別データ信号を音声信号に変換して音声出力が可能に構成されていれば差し支えない。
【００９９】
このように市町村防災行政無線同報系システム２０においては、役所に設置された親局設備２１からの防災情報を防災弱者（聴覚障害者）宅に設置された子局設備２２へ文章と、状況に応じた地図、絵および写真等の画像による詳細指示とを合わせて伝達することが可能なため、防災弱者（聴覚障害者）に対して、より適切な防災情報を伝達することができる。
【０１００】
また、子局設備２２から親局設備２１への連絡を可能に構成することで、親局設備２１側の役所は、役所から防災弱者（聴覚障害者）への情報伝達が的確に行われたかを確認できると共に防災弱者（聴覚障害者）が緊急事態にあるか否かを把握することができる。一方、子局設備２２側の防災弱者（聴覚障害者）は、自分の安否や緊急状態を役所に伝達でき、役所としては防災弱者（聴覚障害者）の安全を確保する適切かつ迅速な処置をとることが可能となる。
【０１０１】
さらに、親局設備２１から子局設備２２への防災情報の伝達に広く普及している公衆通信網２３を利用しているので、設置の際、特別な配慮無しに子局設備２２側で感度良く防災情報の受信が可能となる。
【０１０２】
本発明に係る市町村防災行政無線同報系システム２０によれば、役所に設置された親局設備２１からの防災情報を防災弱者（聴覚障害者）宅に設置された子局設備２２へ文章と、状況に応じた画像による詳細指示とを合わせて伝送して、子局設備２２で文章は文字表示器５３に、詳細指示（画像）は画像表示器５２に表示可能に構成することで、防災弱者（聴覚障害者）に対して、より適切な防災情報の伝達を可能にした市町村防災行政無線同報系システム２０を提供することができる。
【０１０３】
また、子局設備２２である防災弱者（聴覚障害者）宅側では、子局設備２２に設置される情報端末装置２７が連絡装置５５を備えることで、子局設備２２側から親局設備２１側に子局設備２２側の状況等を伝達することができ、親局設備２１側で子局設備２２側の現在状況を知ることが可能となり、より的確な防災情報の伝達を可能にした市町村防災行政無線同報系システム２０を提供することができる。
【０１０４】
さらに、親局設備２１から子局設備２２への防災情報の伝達に広く普及している公衆通信網２３を利用しているので、設置の際、特別な配慮無しに子局設備２２側で感度の良い防災情報の受信を可能とした市町村防災行政無線同報系システム２０を提供することができる。
【０１０５】
尚、市町村防災行政無線同報系システム２０の実施形態において、役所の担当者が行う各種の操作入力は、操作卓３０に備えられる第２の操作手段４５からも行うことができる。
【０１０６】
また、ＰＨＳ電話機２６は、携帯電話等の他の移動式無線通信手段でも良い。さらに、ＰＨＳ電話機２６は、移動式無線通信手段としたが、情報端末装置２７に据え付けられて移動不可能であっても本発明の実施には差し支えない。
【０１０７】
さらにまた、各種の入力・編集画面および子局設備２２からの情報送信に伴うメッセージ等は、第１の表示手段３４に表示されるとして説明したが、第２の表示手段４３に表示するようにしても良いし、第１の表示手段３４および第２の表示手段４３に表示するようにしても良い。また、市町村防災行政無線同報系システム２０に備えられるＰＣ２９や操作卓操作器３１は複数であっても構わないし、操作手段および表示手段は各々１個以上有していれば良い。
【０１０８】
さらに、制御ＰＧ４１、送信用ＰＧ４７および画像ファイルは、役場の担当者が第１の操作手段３５および第２の操作手段４５からアクセス可能であれば、記録手段４１に格納されていても良いし、データ記録部４８に格納されていても良い。
【０１０９】
一方、市町村防災行政無線同報系システム２０は、図１２に示される従来の市町村防災行政無線同報系システム１が備える無線送信機７を親局設備２１に、戸別受信機８を子局設備２２に備え、従来の市町村防災行政無線同報系システム１と並設しても差し支えない。
【０１１０】
【発明の効果】
本発明に係る市町村防災行政無線同報系システムによれば、役所に設置された親局設備からの防災情報を防災弱者（聴覚障害者）宅に設置された子局設備に定型文の他に状況に応じた指示を文字表示手段としての文字表示器で表示するとともに画像情報を画像表示手段である画像表示器に表示可能に構成することで、より詳細かつ的確な防災情報の伝達を可能にした市町村防災行政無線同報系システムを提供することが可能となる。
【０１１１】
また、親局設備（役所）から子局設備である防災弱者（聴覚障害者）宅に防災情報を伝送するだけでなく、子局設備である防災弱者（聴覚障害者）宅側からも親局設備（役所）側に防災情報について確認、連絡を可能に構成することで、防災情報の伝達状況を親局設備（役所）側で確認でき、防災弱者（聴覚障害者）の緊急事態への対応を迅速に行うことのできる市町村防災行政無線同報系システムを提供することが可能となる。
【０１１２】
さらに、親局設備から子局設備への防災情報の伝達に広く普及している公衆通信網を利用しているので、設置の際、特別な配慮無しに子局設備側で感度の良い防災情報の受信を可能とした市町村防災行政無線同報系システムを提供することができる。
【図面の簡単な説明】
【図１】本発明に係る市町村防災行政無線同報系システムの一実施例を示すシステム構成概要図。
【図２】本発明に係る市町村防災行政無線同報系システムを使用して親局設備から防災情報伝達を行う際に役所の防災情報伝達担当者が行う防災情報伝達操作の手順を追って、コンピュータが行う処理操作について説明した説明図。
【図３】本発明に係る市町村防災行政無線同報系システムを使用して親局設備から防災情報伝達操作を実施中に第１の表示手段に表示される初期画面の一実施例を示す説明図。
【図４】本発明に係る市町村防災行政無線同報系システムを使用して親局設備から防災情報伝達を行う際にコンピュータが行う防災情報入力・編集処理操作の処理ステップを説明した説明図。
【図５】本発明に係る市町村防災行政無線同報系システムを使用して親局設備から防災情報伝達操作を実施中に第１の表示手段に表示されるメイン入力・編集画面の一実施例を示す説明図。
【図６】本発明に係る市町村防災行政無線同報系システムを使用して親局設備から防災情報伝達操作を実施中に第１の表示手段に表示されるタイトル入力・編集画面の一実施例を示す説明図。
【図７】本発明に係る市町村防災行政無線同報系システムを使用して親局設備から防災情報伝達操作を実施中に第１の表示手段に表示される表示日時入力・編集画面の一実施例を示す説明図。
【図８】本発明に係る市町村防災行政無線同報系システムを使用して親局設備から防災情報伝達操作を実施中に第１の表示手段に表示されるメッセージ入力・編集画面の一実施例を示す説明図。
【図９】本発明に係る市町村防災行政無線同報系システムを使用して親局設備から防災情報伝達操作を実施中に第１の表示手段に表示される画像添付画面の一実施例を示す説明図。
【図１０】本発明に係る市町村防災行政無線同報系システムにおける親局設備から子局設備への防災情報伝達の動作概要および動作ステップを示したタイムチャート。
【図１１】本発明に係る市町村防災行政無線同報系システムにおける子局設備から親局設備へ連絡する場合の動作概要および動作ステップを示したタイムチャート。
【図１２】従来の市町村防災行政無線同報系システムの一実施例を示すシステム構成概要図。
【図１３】従来の市町村防災行政無線同報系システムにおける防災情報伝達の動作概要および動作ステップを示したタイムチャート。
【符号の説明】
２０　市町村防災行政無線同報系システム
２１　親局設備
２２　子局設備
２３　公衆通信網
２６　ＰＨＳ電話機（移動式無線通信手段）
２７　情報端末装置（防災情報信号受信手段）
２９　ＰＣ
３０　操作卓（防災情報伝達手段）
３１　操作卓操作器
３４　第１の表示手段
３５　第１の操作手段
３６　記録手段
３８　ＣＰＵ
３９　Ｉ／Ｆ部
４１　制御ＰＧ
４３　第２の表示手段
４５　第２の操作手段
４６　演算処理部
４７　送信用ＰＧ
４８　データ記録部
４９　音声入力手段
５０　操作卓用音声出力手段
５１　操作卓Ｉ／Ｆ
５２　画像表示器（画像表示手段）
５３　文字表示器（文字表示手段）
５４　回転灯
５５　連絡装置（連絡手段）
５７　音声出力部（音声出力手段）
５８　制御部（防災情報信号制御手段）
６０　音声増幅器
６１　切替器
６２　スピーカ
６４　初期画面
６６　次回表示欄
６７　処理操作実行ボタン
６８　表示リスト
６９　終了ボタン
７１　順番列
７２　表示日列
７３　表示時刻列
７４　表示先列
７５　タイトル列
７６　メッセージ列
７７　即時表示実行ボタン
７９　編集実行ボタン
８０　メイン入力・編集画面
８１　基本情報入力・編集部
８２　表示先選択部
８３　戻るボタン（メイン入力・編集画面内）
８４　完了ボタン（メイン入力・編集画面内）
８７　タイトル編集ボタン
８８　表示日時編集ボタン
８９　表示メッセージ編集ボタン
９０　添付画像選択ボタン
９２　タイトル欄
９３　表示日時欄
９４　表示メッセージ欄
９５　添付画像ファイル名表示欄
９７　タイトル入力・編集画面
９８　タイトル入力欄
９９　戻るボタン（タイトル入力・編集画面内）
１００　完了ボタン（タイトル入力・編集画面内）
１０３　表示日時入力・編集画面
１０４　表示内容表示欄
１０５　カレンダ部
１０６　時刻設定部
１０７　伝達設定部
１０８　戻るボタン（表示日時入力・編集画面内）
１０９　完了ボタン（表示日時入力・編集画面内）
１１２　前月ボタン
１１３　次月ボタン
１１４　時設定ボタン
１１５　分設定ボタン
１１７　一日指定ボタン
１１８　期間指定ボタン
１１９　毎日ボタン
１２０　曜日指定ボタン
１２１　即時表示ボタン
１２３　表示メッセージ入力・編集画面
１２４　表示メッセージリスト表示部
１２５　表示メッセージ作成表示部
１２７　編集ボタン
１２８　登録ボタン
１２９　登録文削除ボタン
１３０　戻るボタン（表示メッセージ入力・編集画面内）
１３１　完了ボタン（表示メッセージ入力・編集画面内）
１３４　画像添付画面
１３５　画像ＤＢ
１３６　添付ボタン
１３７　削除ボタン
１３８　戻るボタン（画像ファイル添付画面内）
１３９　完了ボタン（画像ファイル添付画面内）
１４１　画像ファイルリスト表示部
１４２　プレビュー表示部
１４３　添付画像ファイル表示部
１４５　一斉ボタン
１４７　緊急スイッチ（状態通知手段）
１４８　受信確認スイッチ（状態通知手段）
【図１】
2004126930.tif 000003
【図２】
2004126930.tif 000004
【図３】
2004126930.tif 000005
【図４】
2004126930.tif 000006
【図５】
2004126930.tif 000007
【図６】
2004126930.tif 000008
【図７】
2004126930.tif 000009
【図８】
2004126930.tif 000010
【図９】
2004126930.tif 000011
【図１０】
2004126930.tif 000012
【図１１】
2004126930.tif 000013
【図１２】
2004126930.tif 000014
【図１３】
2004126930.tif 000015